(57)【要約】膝用パッドは、スポーツ用衣服に固着されるようにできる第１部分（１０）と、擦りむきに対して抵抗できる第２部分（３０）とを有する。バヨネット形が好適な相互作用手段（２４ａ〜２４ｄ、１４ａ〜１４ｄ）は、第１部分を衣服から取外すこと無く、前記第２部分（３０）を第１部分（１０）から分離すべく許している。使用：擦傷と打ち当ての両者による損傷のおそれのある処の、モターサイクルレーシングなどのようなスポーツ活動の際の膝の保護。
2005504897.tif 000002
【特許請求の範囲】
【請求項１】
スポーツ用衣服に固着するようにできる第１部分（１０）と、擦りむきに対して抵抗できる第２部分（３０）とを有する膝用パッドにおいて、
相互作用手段（２４ａ〜２４ｃ、１４ａ〜１４ｃ）がまた設けられており、前記手段は、第１部分を衣服から取外すこと無く、第２部分（３０）を第１部分（１０）から分離するようにできることを特徴とする膝用パッド。
【請求項２】
相互作用手段は、バヨネット形であり、そして前記擦りむき抵抗部分（３０）に一体的に接合される中間部材（２０）に設けられた少なくとも２つの雄形手段（２４ａ〜２４ｃ）と、衝撃に抵抗する材料、好適には金属、から作られた第１部分（１０）に設けられた対応する開口（１４ａ〜１４ｃ）とを有することを特徴とする請求項１に記載の膝用パッド。
【請求項３】
前記バヨネット接合手段を形成する雄形手段（２４a〜２４d）および開口（１４a〜１４c）は、周辺に沿って等間隔状態に配置されていることを特徴とする請求項２に記載の膝用パッド。
【請求項４】
前記中間部材（２０）は、雄形／雌形固着手段（２８ａ〜２８ｄ、３８ａ〜３８ｄ）によって前記擦りむき抵抗部分（３０）に接合され、例えば熱シーリングまたは接着剤接合によって好適に恒久的に行われていることを特徴とする請求項２または３に記載の膝用パッド。
【請求項５】
前記擦りむき抵抗部分（３０）は、プラスチック材料でまた作られる前記中間部材（２０）上に射出されるプラスチック材料を用いて作られることを特徴とする請求項２または３に記載の膝用パッド。
【請求項６】
前記第１部分（１０）は、ねじが切られた部分（１９）を有するので、下側の衣服にねじ部材によって固着できることを特徴とする上記請求項のいずれか１つに記載の膝用パッド。
【請求項７】
前記第２部分（３０）は、前記第１部分（１０）から分離した時に、容易に確認できるように異なった色彩を有していることを特徴とする上記請求項のいずれか１つに記載の膝用パッド。
【発明の詳細な説明】
【技術分野】
【０００１】
本発明は、スポーツ用衣服に適用できる膝用パッドに関するものである。
【背景技術】
【０００２】
いろいろなスポーツ活動において、転倒を含む事故の場合や、あるいは地面との危険な衝突などの場合などにおけるように、時には、特別に重大な種類の、損傷の恐れのある身体の部分の特別な保護を確実にするように要求されることが知られている。保護すりように必要とされる身体の部分において、膝は、モーターサイクルレース、スケート、ホッケーおよび滑降スキーのようなスポーツを行う人には特に大切であり、その結果、彼等の衣服（ズボン、スーツの分離した部分または構成部分のいずれか）には、少なくともこれら部分に取り付けられるようになった膝用パッドが設けられている。さらに、膝用パッドは、スポーツ活動の正常な実行に必要とされる脚の運動の自由度を妨げないように、また要求されると共に、筋肉の引き裂きのような損傷や、あるいはまた衣服が一般的に作られる材料が、制限された擦りむき抵抗を有しているので、膝用パッドが設けられ、あるいは取り付けられる衣服の部分の引き裂きをできるだけ防止しなければならない。
【０００３】
高速度でのモーターサイクルの使用を含むスポーツ活動の特別な場合に、ライダーによって使用される膝用パッドは、別の作用をまた行わなければならず、モーターサイクルが傾動状態を、すなわちレースサーキットのカーブ部分において、とる場合に、いつでもカーブ部分の内側の、地面と膝の外側部分との間の摩擦接触を許さなければならない。
【０００４】
特許文献１に記載されるこの形式の、競争のための特別な膝用パッドは、円形部材の形の複数個の部材と、弾性材料のシートとを有している。円形部材は、擦りむき抵抗の円板を形成するように基部において互いに連結され、ライダーの膝に適合する形状を膝用パッドがとることを許すポリプロピレンのような材料を用いて作られている。前記円板は、ズボンに取り付けるために、ベルクロ（Velcro、登録商品名）の層が設けられた第２の側の、大きな直径を有する円板である弾性材料のシートの第１の側に縫い付けられる。円形部材が、地面との摩擦接触に基づいて摩耗するようになる場合に、ベルクロは、膝用パッドが一時的に取外されて、円形部材の共通の中心周りに回転されて、まだ摩耗していない少なくとも１つの円形部材を膝の外側に有するように異なった角度配置にてズボンに再び固着されるべく許す。
【０００５】
この種の膝用パッドは、変形可能または弾性の材料で専ら作られていることに基づくと同時に、擦りむきに基づく損傷を防止または制限するために有効であるので、例えばモーターサイクルがカーブ部分に入った時に、傾動状態へのモーターサイクルの傾きは、地面との膝の危険な衝突の原因となる。特に激しく力が作用する場合に、膝用パッド全体が廃棄されなければならない。
【０００６】
【特許文献１】
欧州特許出願公開第０４５５３４８号明細書
【発明の開示】
【発明が解決しようとする課題】
【０００７】
本発明の目的は、地面との衝突を含む事故の場合の、使用者、特に、モーターサイクルのライダーの良好な保護を確実にすると共に、それぞれ衝突に抵抗し且つ擦りむきに耐えるように活用される個別の部分を有する、膝用パッドを従って提供することである。
【０００８】
このような目的と他の目的は、添付された特許請求の範囲の特徴付けられた特長を有する膝用パッドによって達成される。
【０００９】
これら特徴付けられた特長と、結果としての利点とを一層明確にするために、本発明の、推奨されるが、専らではない実施例が、添付図面を参照していま説明されよう。
【実施例】
【００１０】
本発明に従った膝用パッドは、基板１０と中間部材２０と作動部材３０とから実質的に構成されている（図１参照）。
【００１１】
膝用パッドの基板１０は、丸くなった中央開口１１と、第１の周辺に沿って延びる３つの三日月形溝１４ａ、１４ｂ、１４ｃと、第２の周辺に沿って延びる４つの突部１８ａ、１８ｂ、１８ｃ、１８ｄとを有する強固で、平らな薄い金属の円板１２から成っている。前記突部は、底部１９に孔があけられていてねじが切られており、ねじ（図示しない）を受けることによって、膝用パッドを使用する人によって着用されるズボンに基板１０が固着されている。
【００１２】
第１周辺に沿って不等間隔になっている溝１４ａ〜１４ｃの各々は、一定の幅の中央部分１５と、この中央部分１５の幅に等しい直径を有した円形の形状を大体有した第１端部１６と、同じ中央部分１５の幅よりも大きな直径の円形の形状を大体有した第２端部１６とを有している。突部１８ａ〜１８ｄは、同じように前記第２周辺に沿って不等間隔になっているが、第１突部１８ａと第２突部１８ｂは、第１の溝１４ａと第２の溝１４ｂの間の中間位置に配置されており、第３突部１８ｃは、第２溝１４ｂと第３溝１４ｃとの間の中間位置にあり、第４溝１４ｄは、第１溝１４ａと第３溝１４ｃとの間の中間位置にある。
【００１３】
また、膝用パッドの中間部材２０は、例えば、炭化カルシウムまたはガラス繊維で補強されたポリプロピレンのような強固なプラスチック材料を用いて射出成形によって作られている薄い平らな円板２２から成り、中央の丸くなった開口２１を有している。円板２２の第１側部２２ａは、円板上に一体的に形成されており、金属の円板１２の中央開口１１の内側に係合するようにできる開口２１の突出縁部２３と、一対の長手方向の切込み２５とアンダーカット部のある自由端部２６とを有するきのこ形の本体を有する３つの脚部２４ａ、２４ｂ、２４ｃとを有している。円板２２の第２側部２２ｂは、円板上に一体的に形成された４つの円形状のピンを有しており、符号２８ａ、２８ｂが付けられたピンだけが図１に示されており、さらに自由端部２９に小さなアンダーカット部を有している。
【００１４】
膝用パッドの作動部材３０は、丸くなった膨張した形の本体３２（すなわち、基板１０と中間部材２０との両部材よりもさらに大きい）から成っており、本体３２は、完全に平らになった基部３４と、適切に丸くなった表面３６とを有している。本体３２は、例えばポリウレタンのような高耐擦りむき特性を有する等級のセルラープラスチック材料を用いて射出成形によって作られる。基部３４において、作動部材３０の本体３２は、４つの円形溝部３８ａ、３８ｂ、３８ｃ、３８ｄを有している。
【００１５】
膝用パッドの組立は、直径と深さが本体３２の上述したピンの寸法と関連している寸法である、溝部３８ａ〜３８ｄ内への、円板２２のピン２８ａ、２８ｂのような円形状のピンの挿入を最初に考える。このように、連結は、作動部材３０と中間部材２０との間に形成されて、例えば、熱シーリング、または膝用パッドのこれら２つの部材が作られるプラスチック材料と両立する接着剤、用いることによって恒久的に好適に行われる。
【００１６】
代わりに、作動部材３０は、関連したプラスチック化合物の適宜な選択によって、中間部材２０の上に直接に射出することによって形成することができる。この場合に、ピン２８ａ〜２８ｄと対応する溝部３８ａ〜３８ｄは共に省略できる。
【００１７】
いずれの場合にも、部材２０、３０を２色の強烈なコントラストの色の塗料で塗るのが好適であり、これによって、膝用パッドが、その機能部分、すなわち部材３０、の完全な摩耗に続くその作動能力を無くした時に、即座に明らかになる。
【００１８】
組立の次の段階は、円板２２の第１側面２２ａから突出するきのこ形の突部２４ａ〜２４ｃを、円板１２の三日月形の溝１４ａ〜１４ｃの大きな直径の端部１７内に挿入すると共に、突出縁部２３を中央開口１１内に、好適には、突部１８ａ〜１８ｄの底部１９のねじにねじ係合されるねじ部材によって膝用パッドを用いる人により着用されるズボンに、基板１０が固着された後に、挿入することである。中間部材２０と、従って、上述したことに関するように、作動部材３０との基板１０に対する中心決めが確実になされる。そのすぐ後に、図２に矢印で示される相互に関連した回転が行われるので、きのこ形の突部２４ａ〜２４ｃは、これら突部が前記溝の小さな直径の端部１６の内側にスナップ係合するまで、自由端部２６の切込みの存在に基づいて行われる心配無く、溝１４ａ〜１４ｃの中央部分１５の内側を滑動し、これによって、膝用パッドの組立が完了する（図３）。言い換えれば、中間部材２０と作動部材３０の基板１０への連結は、バヨネット形であり、その確実性は、本体２２のきのこ形突部２４ａ〜２４ｃの構造的特徴（自由端部２６の切込みと長手方向の切込み２５）と寸法的特徴（直径、長さ）の適宜な明確さによって確実にされる。
【００１９】
膝用パッドの主な利点は、動的特性などを含む、衝撃に対して抵抗する金属材料（例えば、鋼）で作られた第１部分、すなわち基板１０と、擦りむきに対して抵抗するプラスチック材料または同様な材料で作られていて、もし必要ならば第１部分から分離でき、従って、また第１部分を同時に処分する必要無しに、処分できる第２部分、すなわち作動部材３０とを有することである。
【００２０】
また、構造的な見地から、膝用パッドは、上述の説明から推測できるように、技術的な状態に関する改善を示している。
【００２１】
上述の説明は、推奨実施例に関するものであるが、本発明が添付された特許請求の範囲内の異なった形式と変形例とに実現すべく適していることが理解される。
【図面の簡単な説明】
【００２２】
【図１】本発明の膝用パッドの分解した図である。
【図２】膝用パッドを構成する部材の組立を含む作業の際の同一膝用パッドを示す図である。
【図３】前記組立作業の終りにおける膝用パッドを示す図である。
【図１】
2005504897.tif 000003
【図２】
2005504897.tif 000004
【図３】
2005504897.tif 000005
【国際公開パンフレット】
2005504897.tif 000006
2005504897.tif 000007
2005504897.tif 000008
2005504897.tif 000009
2005504897.tif 000010
2005504897.tif 000011
2005504897.tif 000012
2005504897.tif 000013
2005504897.tif 000014
2005504897.tif 000015
【手続補正書】
【提出日】平成15年3月10日(2003.3.10)
【手続補正１】
【補正対象書類名】明細書
【補正対象項目名】全文
【補正方法】変更
【補正の内容】
【発明の詳細な説明】
【技術分野】
【０００１】
本発明は、スポーツ用衣服に適用できる膝用パッドに関するものである。
【背景技術】
【０００２】
いろいろなスポーツ活動において、転倒を含む事故の場合や、あるいは地面との危険な衝突などの場合におけるように、時には、特別に重大な種類の、損傷の恐れのある身体の部分の特別な保護を確実にするように要求されることが知られている。保護するように必要とされる身体の部分において、膝は、モーターサイクルレース、スケート、ホッケーおよび滑降スキーのようなスポーツを行う人には特に大切であり、その結果、彼等の衣服（ズボン、スーツの分離した部分または構成部分のいずれか）には、少なくともこれら部分に取り付けられるようになった膝用パッドが設けられている。さらに、膝用パッドは、スポーツ活動の正常な実行に必要とされる脚の運動の自由度を妨げないようにまた要求されると共に、筋肉の引き裂きのような損傷や、あるいはまた衣服が一般的に作られる材料が、制限された擦りむき抵抗を有しているので、膝用パッドが設けられ、あるいは取り付けられる衣服の部分の引き裂きをできるだけ防止しなければならない。
【０００３】
高速度でのモーターサイクルの使用を含むスポーツ活動の特別な場合に、ライダーによって使用される膝用パッドは、別の作用をまた行わなければならず、モーターサイクルが傾動状態を、すなわちレースサーキットのカーブ部分において、とる場合に、いつでもカーブ部分の内側の、地面と膝の外側部分との間の摩擦接触を許さなければならない。
【０００４】
特許文献１に記載されるこの形式の競争のための特別な膝用パッドは、円形部材の形の複数個の部材と、弾性材料のシートとを有している。円形部材は、擦りむき抵抗の円板を形成するように基部において互いに連結され、ライダーの膝に適合する形状を膝用パッドがとることを許すポリプロピレンのような材料を用いて作られている。大きな直径を持った円板である、前記円板は、ズボンに取り付けるためにベルクロ（Velcro、登録商品名）の層が設けられた第２の側の、弾性材料のシートの第１の側に縫い付けられる。円形部材が、地面との摩擦接触に基づいて摩耗するようになる場合に、ベルクロは、膝用パッドが一時的に取外されて、円形部材の共通の中心周りに回転されて、まだ摩耗していない少なくとも１つの円形部材を膝の外側に有するように異なった角度配置にてズボンに再び固着されることを許す。
【０００５】
この種の膝用パッドは、変形可能または弾性の材料で専ら作られていることに基づくと同時に、擦りむきに基づく損傷を防止または制限するために有効であるので、例えばモーターサイクルがカーブ部分に入った時に、傾動状態へのモーターサイクルの傾きが、地面との膝の危険な衝突の原因となる。さらに、特に激しく力が作用する場合に、膝用パッド全体が廃棄されなければならない。
【０００６】
当業技術において知られた他の膝用パッドが以下に検討される。
【０００７】
特許文献２は、スポーツ用衣服に固着されるようにできる第１部分と、クッション手段によって互いに連結された第２部分とから成る、使用者の膝または肘を衝撃に対して保護するためのパッドを記載している。クッション手段は、前記第１部分にしっかりと固着され、衝撃が同じ第２部分において発生する場合に、動くことができる前記第２部分に接合されている。衝撃が単に遠隔な場合である使用のために意図されるだけの、パッドであることの明白な理由のために、パッド全体か、あるいは少なくとも前記第２部分のいずれか一方を取り換えるように予測されていないし、あるいはまた、パッドが道路またはレースサーキットの地面との摩擦接触を繰り返すことが、予測されていない。
【０００８】
特許文献３は、衣服に取付けるようにできる第１部分と、前記シートから突出するチップを有する擦りむき抵抗材料の部材の適合のために突出するシートが設けられている第２部分とを有するモーターサイクリストのための部分的保護ガードを記載している。取り換えが仮に予測されたとしても、摩耗した部材を如何に取り換えるかは、詳細が記載されていない。
【０００９】
特許文献４（本願特許出願の優先権主張日の後に公告された）は、衣服に固着される第１部分または基部と、基板（バヨネットカップリング）内を、すなわちパッドが固着される衣服の表面と大体平行な方向に滑動するカップリングによって前記基部に対して抑制される第２擦りむき抵抗部分または保護本体と、を有するレーシングモーターサイクリストのためのスライダー、すなわち膝用パッドを記載している。取り換えを許すためには、基部の部分的変形を手で喚起して、基部をさらに変形するようにねじ回しの刃先を同時に差し込んで、保護本体の滑りと抜き出しとを許すことで、十分である。基部が変形可能なプラスチック材料で作られて、保護本体がまたプラスチック材料で作られていることを考慮して、衝撃に対して低抵抗を、このスライダーが有していることが大いに注意される。さらに、取り換えは、前述したねじ回しのような工具の使用を必要としている。
【００１０】
【特許文献１】
欧州特許出願公開第０４５５３４８号明細書
【特許文献２】
独国特許出願公開第２００１７５９４号明細書
【特許文献３】
英国特許出願公開第２３５６１２７号明細書
【特許文献４】
国際公開第０２／２１９５０号パンフレット
【発明の開示】
【発明が解決しようとする課題】
【００１１】
本発明の目的は、地面との衝突を含む事故の場合の、使用者、特に、モーターサイクルのライダーの良好な保護を確実にすると共に、それぞれ衝突に抵抗し且つ擦りむきに耐えるように活用される個別の部分を有する、膝用パッドを従って提供することである。
【００１２】
この目的と他の目的は、添付された特許請求の範囲の特徴付けられた特長を有する膝用パッドによって達成される。
【００１３】
これら特徴付けられた特長と、結果としての利点とを一層明確にするために、本発明の推奨されるが、専らではない実施例が、添付図面を参照していま説明されよう。
【実施例】
【００１４】
本発明に従った膝用パッドは、基板１０と中間部材２０と作動部材３０とから実質的に構成されている（図１参照）。
【００１５】
膝用パッドの基板１０は、丸くなった中央開口１１と、第１の周辺に沿って延びる３つの三日月形溝１４ａ、１４ｂ、１４ｃと、第２の周辺に沿って延びる４つの突部１８ａ、１８ｂ、１８ｃ、１８ｄとを有する強固で、平らな薄い金属の円板１２から成っている。前記突部は、底部１９に孔があけられていてねじが切られており、ねじ（図示しない）を受けることによって、膝用パッドを使用する人によって着用されるズボンに基板１０が固着されている。
【００１６】
第１周辺に沿って不等間隔になっている溝１４ａ〜１４ｃの各々は、一定の幅の中央部分１５と、この中央部分１５の幅に等しい直径を有した円形の形状を大体有した第１端部１６と、同じ中央部分１５の幅よりも大きな直径の円形の形状を大体有した第２端部１６とを有している。突部１８ａ〜１８ｄは、同じように前記第２周辺に沿って不等間隔になっているが、第１突部１８ａと第２突部１８ｂは、第１の溝１４ａと第２の溝１４ｂの間の中間位置に配置されており、第３突部１８ｃは、第２溝１４ｂと第３溝１４ｃとの間の中間位置にあり、第４溝１４ｄは、第１溝１４ａと第３溝１４ｃとの間の中間位置にある。
【００１７】
また、膝用パッドの中間部材２０は、例えば、炭化カルシウムまたはガラス繊維で補強されたポリプロピレンのような強固なプラスチック材料を用いて射出成形によって作られている薄い平らな円板２２から成り、中央の丸くなった開口２１を有している。円板２２の第１側部２２ａは、円板上に一体的に形成されており、金属の円板１２の中央開口１１の内側に係合するようにできる開口２１の突出縁部２３と、一対の長手方向の切込み２５とアンダーカット部のある自由端部２６とを有するきのこ形の本体を有する３つの脚部２４ａ、２４ｂ、２４ｃとを有している。円板２２の第２側部２２ｂは、円板上に一体的に形成された４つの円形状のピンを有しており、符号２８ａ、２８ｂが付けられたピンだけが図１に示されており、さらに自由端部２９に小さなアンダーカット部を有している。
【００１８】
膝用パッドの作動部材３０は、丸くなった膨張した形の本体３２（すなわち、基板１０と中間部材２０との両部材よりもさらに大きい）から成っており、本体３２は、完全に平らになった基部３４と、適切に丸くなった表面３６とを有している。本体３２は、例えばポリウレタンのような高耐擦りむき特性を有する等級のセルラープラスチック材料を用いて射出成形によって作られる。基部３４において、作動部材３０の本体３２は、４つの円形溝部３８ａ、３８ｂ、３８ｃ、３８ｄを有している。
【００１９】
膝用パッドの組立は、直径と深さが本体３２の上述したピンの寸法と関連している寸法である、溝部３８ａ〜３８ｄ内への、円板２２のピン２８ａ、２８ｂのような円形状のピンの挿入を最初に考える。このように、連結は、作動部材３０と中間部材２０との間に形成されて、例えば、熱シーリング、または膝用パッドのこれら２つの部材が作られるプラスチック材料と両立する接着剤、を用いることによって恒久的に好適に行われる。
【００２０】
代わりに、作動部材３０は、関連したプラスチック化合物の適宜な選択によって、中間部材２０の上に直接に射出することによって形成することができる。この場合に、ピン２８ａ〜２８ｄと対応する溝部３８ａ〜３８ｄは共に省略できる。
【００２１】
いずれの場合にも、部材２０、３０を２色の強烈なコントラストの色の塗料で塗るのが好適であり、これによって、膝用パッドが、その機能部分、すなわち部材３０、の完全な摩耗に続く作動能力を無くした時に、即座に明らかになる。
【００２２】
組立の次の段階は、円板２２の第１側面２２ａから突出するきのこ形の突部２４ａ〜２４ｃを、円板１２の三日月形の溝１４ａ〜１４ｃの大きな直径の端部１７内に挿入すると共に、突出縁部２３を中央開口１１内に、好適には、突部１８ａ〜１８ｄの底部１９のねじにねじ係合されるねじ部材によって膝用パッドを用いる人により着用されるズボンに、基板１０が固着された後に、挿入することである。中間部材２０と、従って、上述したことに関するように、作動部材３０との基板１０に対する中心決めが確実になされる。そのすぐ後に、図２に矢印で示される相互に関連した回転が行われるので、きのこ形の突部２４ａ〜２４ｃは、これら突部が溝の小さな直径の端部１６の内側にスナップ係合するまで、自由端部２６の切込みの存在に基づいて行われる心配無く、溝１４ａ〜１４ｃの中央部分１５の内側を滑動し、これによって、膝用パッドの組立が完了する（図３）。言い換えれば、中間部材２０と作動部材３０の基板１０への連結は、バヨネット形であり、その確実性は、本体２２のきのこ形突部２４ａ〜２４ｃの構造的特徴（自由端部２６の切込みと長手方向の切込み２５）と寸法的特徴（直径、長さ）の適宜な明確さによって確実にされる。
【００２３】
膝用パッドの主な利点は、動的特性などを含む、衝撃に対して抵抗する金属材料（例えば、鋼）で作られた第１部分、すなわち基板１０と、擦りむきに対して抵抗するプラスチック材料または同様な材料で作られていて、もし必要ならば第１部分から分離でき、従って、また第１部分を同時に処分する必要無しに、処分できる第２部分、すなわち作動部材３０とを有することである。
【００２４】
また、構造的な見地から、膝用パッドは、上述の説明から推測できるように、技術的な状態に関する改善を示している。
【００２５】
上述の説明は、推奨実施例に関するものであるが、本発明が添付された特許請求の範囲内の異なった形式と変形例とに実現すべく適していることが理解される。
【図面の簡単な説明】
【００２６】
【図１】本発明の膝用パッドの分解した図である。
【図２】膝用パッドを構成する部材の組立を含む作業の際の同一膝用パッドを示す図である。
【図３】前記組立作業の終りにおける膝用パッドを示す図である。




【手続補正書】
【提出日】平成15年9月27日(2003.9.27)
【手続補正１】
【補正対象書類名】特許請求の範囲
【補正対象項目名】全文
【補正方法】変更
【補正の内容】
【特許請求の範囲】
【請求項１】
スポーツ用衣服に固着するようにできる第１部分（１０）と、擦りむきに対して抵抗できる第２部分（３０）と、第１部分を衣服から取外すこと無く第１部分（１０）から第２部分（３０）を分離するようにできる相互作用手段（２４ａ〜２４ｃ、１４ａ〜１４ｃ）とを有する膝用パッドにおいて、
前記相互作用手段（２４ａ〜２４ｃ、１４ａ〜１４ｃ）は、第１部分（１０）の上と、第２部分（３０）に固着連結された膝用パッドの中間部材（２０）の上に等しく配置され、前記分離が、前記第１部分（１０）に関して第２部分（３０）の回転運動を介して行われる形式であることを特徴とする膝用パッド。
【請求項２】
前記第１部分（１０）は、衝撃に抵抗する材料、好適には金属で作られ、バヨネット形である相互作用手段は、前記中間部材（２０）上の少なくとも２つの雄形手段（２４ａ〜２４ｃ）を有し、膝用パッドの前記第１部分（１０）の対応する開口（１４ａ〜１４ｃ）において、前記雄形手段（２４ａ〜２４ｄ）と開口（１４ａ〜１４ｃ）が周辺に沿って等間隔状態に配置されていることを特徴とする請求項１に記載の膝用パッド。
【請求項３】
前記中間部材（２０）は、雄形／雌形固着手段（２８ａ〜２８ｄ、３８ａ〜３８ｄ）によって前記擦りむき抵抗部分（３０）に接合され、例えば熱シーリングまたは接着剤接合によって恒久的に行われることを特徴とする請求項１に記載の膝用パッド。
【請求項４】
前記擦りむき抵抗部分（３０）は、プラスチック材料でまた作られる前記中間部材（２０）上に射出されるプラスチック材料を用いて作られることを特徴とする請求項１に記載の膝用パッド。
【請求項５】
前記第１部分（１０）は、ねじが切られた部分（１９）を有するので、下側の衣服にねじ部材によって固着できることを特徴とする上記請求項のいずれか１つに記載の膝用パッド。
【請求項６】
前記第２部分（３０）は、前記第１部分（１０）から分離される時に、容易に確認できるように異なった色彩を有していることを特徴とする上記請求項のいずれか１つに記載の膝用パッド。
【国際調査報告】
2005504897.tif 000016
2005504897.tif 000017